(57)【要約】【課題】  【解決手段】  ユーザ状況収集管理部１５は、例えば、ユーザＡにより利用される携帯電話端末２１からの要求により携帯電話端末２２を利用する知人Ｂの位置を取得し、店舗の位置から一定範囲内に知人Ｂがいれば、その知人Ｂを含んだ知人リストを作成する。そして、電子クーポン発行部１３で発行された電子クーポンは、作成された知人リストに含まれる知人Ｂの利用する携帯電話端末２２へ送信され表示される。  【選択図】図１
2005326949.tif 000002
【特許請求の範囲】
【請求項１】
電子クーポンを端末に表示させることを電子クーポンの発行として行う電子クーポン発行装置において、
第１の発行先へ電子クーポンを発行する電子クーポン発行手段と、
前記第１の発行先からの要求により電子クーポンが発行される第２の発行先に関する情報を取得するとともに当該第２の発行先への電子クーポンの発行を当該取得した情報により制御する手段と
を備えることを特徴とする電子クーポン発行装置。
【請求項２】
前記第２の発行先のユーザの現在の状況を取得する手段を備え、
この取得された状況に応じた電子クーポンを発行することを特徴とする請求項１記載の電子クーポン発行装置。
【請求項３】
前記第１の発行先から送信されたメッセージを前記第２の発行先へ電子クーポンとともに表示させることを特徴とする請求項１または２記載の電子クーポン発行装置。
【請求項４】
前記第２の発行先のユーザの現在の状況について前記第１の発行先から指定された発行条件を記憶する手段を備え、
前記第２の発行先のユーザの現在の状況が当該記憶された発行条件を満たすものであるときに電子クーポンを発行することを特徴とする請求項２または３記載の電子クーポン発行装置。
【請求項５】
前記電子クーポン発行手段が前記第２の発行先へ電子メールで電子クーポンを送信することを特徴とする請求項１ないし４のいずれかに記載の電子クーポン発行装置。
【請求項６】
前記第２の発行先へ発行される電子クーポンを前記第２の発行先からの検索要求により当該第２の発行先へ表示させることを特徴とする請求項１ないし４のいずれかに記載の電子クーポン発行装置。
【請求項７】
前記第２の発行先に発行される電子クーポンの有効期限、割引率、割引条件の１以上を制御する請求項１ないし６のいずれかに記載の電子クーポン発行装置。
【請求項８】
前記第２の発行先に発行された電子クーポンの利用状況を取得して前記第１の発行先へ通知することを特徴とする請求項１ないし７のいずれかに記載の電子クーポン発行装置。
【請求項９】
前記第２の発行先に発行された電子クーポンを利用したユーザによる当該電子クーポンの利用対象への評価を記憶する手段を備え、この記憶された評価を公開することを特徴とする請求項１ないし８のいずれかに記載の電子クーポン発行装置。
【請求項１０】
電子クーポンを端末に表示させることを電子クーポンの発行として行う電子クーポン発行装置が行う電子クーポン発行方法において、
第１の発行先へ電子クーポンを発行し、
前記第１の発行先からの要求により電子クーポンが発行される第２の発行先に関する情報を取得するとともに当該第２の発行先への電子クーポンの発行を当該取得した情報により制御する
ことを特徴とする電子クーポン発行方法。
【請求項１１】
前記第２の発行先のユーザの現在の状況を取得し、
この取得された状況に応じた電子クーポンを発行することを特徴とする請求項１０記載の電子クーポン発行方法。
【請求項１２】
前記第１の発行先から送信されたメッセージを前記第２の発行先へ電子クーポンとともに表示させることを特徴とする請求項１０または１１記載の電子クーポン発行方法。
【請求項１３】
前記第２の発行先のユーザの現在の状況について前記第１の発行先から指定された発行条件を記憶し、
前記第２の発行先のユーザの現在の状況が当該記憶された発行条件を満たすものであるときに電子クーポンを発行することを特徴とする請求項１１または１２記載の電子クーポン発行方法。
【請求項１４】
前記電子クーポン発行手段が前記第２の発行先へ電子メールで電子クーポンを送信することを特徴とする請求項１０ないし１３のいずれかに記載の電子クーポン発行方法。
【請求項１５】
前記第２の発行先へ発行される電子クーポンを前記第２の発行先からの検索要求により当該第２の発行先へ表示させることを特徴とする請求項１０ないし１３のいずれかに記載の電子クーポン発行方法。
【請求項１６】
前記第２の発行先に発行される電子クーポンの有効期限、割引率、割引条件の１以上を制御する請求項１０ないし１５のいずれかに記載の電子クーポン発行方法。
【請求項１７】
前記第２の発行先に発行された電子クーポンの利用状況を取得して前記第１の発行先へ通知することを特徴とする請求項１０ないし１６のいずれかに記載の電子クーポン発行方法。
【請求項１８】
前記第２の発行先に発行された電子クーポンを利用したユーザによる当該電子クーポンの利用対象への評価を記憶し、この記憶された評価を公開することを特徴とする請求項１０ないし１７のいずれかに記載の電子クーポン発行方法。
【請求項１９】
請求項１０ないし１８のいずれかに記載の電子クーポン発行方法をコンピュータに実行させるコンピュータプログラム。
【請求項２０】
請求項１０ないし１８のいずれかに記載の電子クーポン発行方法をコンピュータに実行させるコンピュータプログラムを格納した記録媒体。
【発明の詳細な説明】
【技術分野】
【０００１】
本発明は、電子クーポンを発行される発行先のユーザにとって利便性の高い電子クーポン発行装置に関するものである。
【背景技術】
【０００２】
従来においては、電子クーポンを第１の発行先へ発行し、この発行先からの要求により第２の発行先にも電子クーポンを発行するシステムが、例えば、特許文献１に記載されている。この文献のシステムでは、さらに、第１の発行先のユーザにポイントを与えることにより、このような電子クーポンの流通を促進している。
【特許文献１】特開２００３−１８７１４０号公報
【発明の開示】
【発明が解決しようとする課題】
【０００３】
しかしながら、上記の方法では、電子クーポンが第２の発行先へ一方的に発行されるため、実際には電子クーポンを利用できないことがある。例えば、銀座にある店舗の電子クーポンが新宿のオフィスで仕事中のユーザに発行されても、そのユーザはその電子クーポンを利用することはできない。
【０００４】
そこで本発明は、上記の課題に鑑みてなされたものであり、その目的とするところは、電子クーポンを発行される第２の発行先のユーザにとって利便性の高い電子クーポン発行装置を提供することにある。
【課題を解決するための手段】
【０００５】
上記の課題を解決するために、請求項１の本発明は、電子クーポンを端末に表示させることを電子クーポンの発行として行う電子クーポン発行装置において、第１の発行先へ電子クーポンを発行する電子クーポン発行手段と、前記第１の発行先からの要求により電子クーポンが発行される第２の発行先に関する情報を取得するとともに当該第２の発行先への電子クーポンの発行を当該取得した情報により制御する手段とを備えることを特徴とする電子クーポン発行装置をもって解決手段とする。
【０００６】
請求項２の本発明は、前記第２の発行先のユーザの現在の状況を取得する手段を備え、この取得された状況に応じた電子クーポンを発行することを特徴とする請求項１記載の電子クーポン発行装置をもって解決手段とする。
【０００７】
請求項３の本発明は、前記第１の発行先から送信されたメッセージを前記第２の発行先へ電子クーポンとともに表示させることを特徴とする請求項１または２記載の電子クーポン発行装置をもって解決手段とする。
【０００８】
請求項４の本発明は、前記第２の発行先のユーザの現在の状況について前記第１の発行先から指定された発行条件を記憶する手段を備え、前記第２の発行先のユーザの現在の状況が当該記憶された発行条件を満たすものであるときに電子クーポンを発行することを特徴とする請求項２または３記載の電子クーポン発行装置をもって解決手段とする。
【０００９】
請求項５の本発明は、前記電子クーポン発行手段が前記第２の発行先へ電子メールで電子クーポンを送信することを特徴とする請求項１ないし４のいずれかに記載の電子クーポン発行装置をもって解決手段とする。
【００１０】
請求項６の本発明は、前記第２の発行先へ発行される電子クーポンを前記第２の発行先からの検索要求により当該第２の発行先へ表示させることを特徴とする請求項１ないし４のいずれかに記載の電子クーポン発行装置をもって解決手段とする。
【００１１】
請求項７の本発明は、前記第２の発行先に発行される電子クーポンの有効期限、割引率、割引条件の１以上を制御する請求項１ないし６のいずれかに記載の電子クーポン発行装置をもって解決手段とする。
【００１２】
請求項８の本発明は、前記第２の発行先に発行された電子クーポンの利用状況を取得して前記第１の発行先へ通知することを特徴とする請求項１ないし７のいずれかに記載の電子クーポン発行装置をもって解決手段とする。
【００１３】
請求項９の本発明は、前記第２の発行先に発行された電子クーポンを利用したユーザによる当該電子クーポンの利用対象への評価を記憶する手段を備え、この記憶された評価を公開することを特徴とする請求項１ないし８のいずれかに記載の電子クーポン発行装置をもって解決手段とする。
【００１４】
請求項１０の本発明は、電子クーポンを端末に表示させることを電子クーポンの発行として行う電子クーポン発行装置が行う電子クーポン発行方法において、第１の発行先へ電子クーポンを発行し、前記第１の発行先からの要求により電子クーポンが発行される第２の発行先に関する情報を取得するとともに当該第２の発行先への電子クーポンの発行を当該取得した情報により制御することを特徴とする電子クーポン発行方法をもって解決手段とする。
【００１５】
請求項１１の本発明は、前記第２の発行先のユーザの現在の状況を取得し、この取得された状況に応じた電子クーポンを発行することを特徴とする請求項１０記載の電子クーポン発行方法をもって解決手段とする。
【００１６】
請求項１２の本発明は、前記第１の発行先から送信されたメッセージを前記第２の発行先へ電子クーポンとともに表示させることを特徴とする請求項１０または１１記載の電子クーポン発行装置をもって解決手段とする。
【００１７】
請求項１３の本発明は、前記第２の発行先のユーザの現在の状況について前記第１の発行先から指定された発行条件を記憶し、前記第２の発行先のユーザの現在の状況が当該記憶された発行条件を満たすものであるときに電子クーポンを発行することを特徴とする請求項１１または１２記載の電子クーポン発行方法をもって解決手段とする。
【００１８】
請求項１４の本発明は、前記電子クーポン発行手段が前記第２の発行先へ電子メールで電子クーポンを送信することを特徴とする請求項１０ないし１３のいずれかに記載の電子クーポン発行方法をもって解決手段とする。
【００１９】
請求項１５の本発明は、前記第２の発行先へ発行される電子クーポンを前記第２の発行先からの検索要求により当該第２の発行先へ表示させることを特徴とする請求項１０ないし１３のいずれかに記載の電子クーポン発行方法をもって解決手段とする。
【００２０】
請求項１６の本発明は、前記第２の発行先に発行される電子クーポンの有効期限、割引率、割引条件の１以上を制御する請求項１０ないし１５のいずれかに記載の電子クーポン発行方法をもって解決手段とする。
【００２１】
請求項１７の本発明は、前記第２の発行先に発行された電子クーポンの利用状況を取得して前記第１の発行先へ通知することを特徴とする請求項１０ないし１６のいずれかに記載の電子クーポン発行方法をもって解決手段とする。
【００２２】
請求項１８の本発明は、前記第２の発行先に発行された電子クーポンを利用したユーザによる当該電子クーポンの利用対象への評価を記憶し、この記憶された評価を公開することを特徴とする請求項１０ないし１７のいずれかに記載の電子クーポン発行方法をもって解決手段とする。
【００２３】
請求項１９の本発明は、請求項１０ないし１８のいずれかに記載の電子クーポン発行方法をコンピュータに実行させるコンピュータプログラムをもって解決手段とする。
【００２４】
請求項２０の本発明は、請求項１０ないし１８のいずれかに記載の電子クーポン発行方法をコンピュータに実行させるコンピュータプログラムを格納した記録媒体をもって解決手段とする。
【発明の効果】
【００２５】
本発明によれば、第１の発行先からの要求により電子クーポンが発行される第２の発行先に関する情報を取得するとともに当該第２の発行先への電子クーポンの発行を当該取得した情報により制御するので、第２の発行先のユーザの利便性を向上させることができる。
【発明を実施するための最良の形態】
【００２６】
以下、本発明の実施の形態を図面を参照して説明する。
【００２７】
図１は、本発明を用いた電子クーポン発行サービスのシステム構成図である。
【００２８】
電子クーポン発行装置１は、このサービスにより集客したい例えば店舗の依頼により電子クーポンをユーザに発行するコンピュータであり、このサービスの手続きなどを行う事業者Ｓにより運用管理される。
【００２９】
電子クーポン発行装置１はインターネットに接続され、インターネットは携帯電話網に接続されている。インターネットには、天候を知らせる気象サーバ３が接続されている。
【００３０】
携帯電話端末２１は、あるユーザＡにより利用される携帯電話端末であり、携帯電話端末２２は、ユーザＡの知人であるユーザ（知人Ｂという）により利用される携帯電話端末であり、それぞれが携帯電話網に接続されている。各携帯電話端末２１、２２は、ＧＰＳ(Global Positioning System)衛星から自身の位置を取得する機能を備えている。なお、各携帯電話端末は、ＰＨＳ（Personal Handyphone System）基地局などから自身の位置を取得する機能を備えたＰＨＳ端末に代え、携帯電話網をＰＨＳ網に代えることができる。また、各携帯電話端末は、ＰＤＡ（Personal Digital Assistant）といわれる端末や、いわゆるノートパソコンといわれる端末に代え、これらを携帯電話網などを介さないでインターネットに接続することができる。  
電子クーポン発行装置１は、各携帯電話端末２１，２２に対する情報の送受信を行う情報送受信部１１と、ユーザのプロファイルを記憶するユーザプロファイル記憶部１２と、電子クーポンの割引率などを決定して電子クーポンを発行する電子クーポン発行部１３と、電子クーポンの割引率などを管理する電子クーポン管理部１４と、ユーザの状況を収集し管理するユーザ状況収集管理部１５と、電子クーポンの利用対象（店舗や商品など）への評価を記憶する評価管理部１６と、これら各部に対し指示を行い、電子クーポンの発行に拘わる処理全体を統括する中央処理部１７とを備えるサーバコンピュータである。
【００３１】
次に、本実施の形態の動作を説明する。
【００３２】
図２は、ユーザＡへ電子クーポンを発行するときのシーケンス図である。なお、本実施の形態のシーケンス図において、Ｓｎ（ｎは整数）は携帯電話端末と電子クーポン発行装置１との間または電子クーポン発行装置１の各部間の処理を、Ｔｎ（ｎは整数）は各部内の処理を示す。
【００３３】
ここでは、ユーザプロファイル記憶部１２には、ユーザＡのユーザＩＤに対応づけてパスワード、プロファイル、並びに知人ＢなどのユーザＩＤからなる知人リストが記憶されていることとする。また、知人Ｂなどの知人のユーザＩＤに対応づけてパスワード、並びに電子メールアドレスを含むプロファイルが記憶されていることとする。
【００３４】
ユーザＡが携帯電話端末２１を携行して、例えばある飲食店を訪れる。そこでは店のメニューに印刷されているクーポン番号が携帯電話端末２１に入力される。クーポン番号は、店舗単位に付与されたものでもよいし、料理などの商品単位に付与されたものでもよい。また、番号ではなく、記号などを用いた識別子としても勿論よい。
【００３５】
例えば、クーポン番号はユーザＡによりキー入力される。また、携帯電話端末２１がバーコードリーダを備えていれば、ＱＲコードなどの２次元バーコードで印刷されたクーポン番号を入力できる。また、携帯電話端末２１がＲＦＩＤ（Radio Frequency IDentification）無線タグのリーダを備えていれば、ＲＦＩＤ無線タグに記憶されたクーポン番号を入力することができる。
【００３６】
次に、携帯電話端末２１は、このクーポン番号を電子クーポンの発行要求として電子クーポン発行装置１に送信する（Ｓ１）。なお、電子クーポン発行装置１と各携帯電話端末２１、２２との間の通信は、ｈｔｔｐやｈｔｔｐｓなどの通信プロトコルで行われる。
【００３７】
電子クーポン発行装置１の情報送受信部１１は、クーポン番号を受信し、これを中央処理部１７へ与える（Ｓ１）。
【００３８】
中央処理部１７は、情報送受信部１１を介してユーザＩＤ／パスワードを携帯電話端末２１へ要求し（Ｓ２）、携帯電話端末２１はユーザＩＤ／パスワードを電子クーポン発行装置１に送信する（Ｓ３）。
【００３９】
中央処理部１７は、ユーザプロファイル記憶部１２を参照して（Ｓ４／Ｓ５）、ユーザ認証を行う（Ｔ１）。
【００４０】
ユーザ認証に成功すると、中央処理部１７は電子クーポン発行部１３にユーザＩＤを与える（Ｓ６）。
【００４１】
電子クーポン発行部１３は、ユーザＩＤを基に、ユーザプロファイル記憶部１２からプロファイルと知人リストを取得し（Ｓ７／Ｓ８）し、プロファイルを基に電子クーポンの有効期限、割引率、割引条件の１以上を決め、さらに今回の電子クーポンを発行される知人の知人リストを生成する（Ｔ２）。例えば、プロファイルにユーザＡがゴールド会員であると記載されていれば、割引率を上げるとともに、今回の知人リストには、取得した知人リストに含まれた全ユーザＩＤを含ませることができる。また、今回の知人リストに含める知人を絞り込むこともできる。
【００４２】
なお、電子クーポン発行部１３は、ユーザ状況収集管理部１５に対し、ユーザＡの状況を問い合わせ（Ｓ９）、ユーザ状況収集管理部１５が、例えば、携帯電話端末２１の位置を携帯電話端末２１から取得し、その位置の天候を気象サーバ３から取得（Ｓ１０／Ｓ１１）して、図３に示すように記憶管理するとともに、これを電子クーポン発行部１３に返却し（Ｓ１２）、電子クーポン発行部１３が、例えば天候が雨であれば、電子クーポン１０００の割引率を上げる（Ｔ４）こともできる。
【００４３】
また、Ｓ１０／Ｓ１１では、ユーザ状況収集管理部１５がユーザＡの位置として携帯電話端末２１から緯度／経度を取得し、知人リストにある知人の位置も同様に取得して、図３に示すように記憶管理し、両者が一定範囲内にある場合は同伴しているとみなして、Ｔ４では電子クーポンの割引率を上げることもできる。
【００４４】
なお、電子クーポンは飲食店のものであるから、ユーザＡの位置は飲食店のサーバなどから直接取得することもできる。
【００４５】
電子クーポン発行部１３は、Ｔ４で割引率などを決めた電子クーポンを発行する（Ｔ５）。そして、電子クーポン発行部１３は、ユーザＡのユーザＩＤと今回のクーポン番号とともに、図４のＡ部分に示すように発行時刻、割引率や割引条件などの内容（例えば、数字列で表現することができる）および有効期限を、そして、図４のＢ部分に示すように、今回の知人リストおよび有効期限、を電子クーポン管理部１４に記憶させる（Ｓ１３）。図２のＳ１４は、こうした情報記憶が成功したことを示す電子クーポン管理部１４からの応答である。
【００４６】
電子クーポン発行部１３は、発行した電子クーポンを中央処理部１７へ与え（Ｓ１５）、中央処理部１７は、この電子クーポンを情報送受信部１１を介して、携帯電話端末２１へ送信する（Ｓ１６）。
【００４７】
携帯電話端末２１は、図５に示すように電子クーポンを表示する。ユーザＡは、この電子クーポンを飲食店の従業員などに見せることにより割り引きを受けて食事を行うことができる。画面には有効期限が表示されるので、有効期限が過ぎた後にその店舗に訪れるといったことを回避することができる。
【００４８】
図６は、知人が現在どこにいても電子クーポンを発行するときのシーケンス図である。
【００４９】
例えば、図５に示す「知人にクーポンを送る」をユーザＡが指定すると、携帯電話端末２１は、知人へ電子クーポンを発行するためのリクエストを電子クーポン発行装置１に送信する（Ｓ１７）。電子クーポン発行装置１の情報送受信部１１は、リクエストを受信し、これを中央処理部１７へ与える（Ｓ１７）。
【００５０】
中央処理部１７は、情報送受信部１１を介して携帯電話端末２１へ、例えば図７に示す画面を表示させる（Ｓ１８）。
【００５１】
ユーザＡは、例えば、電子クーポンの題名入力のための入力エリアへ題名を入力し、電子クーポンについてプルダウンメニューで用意された複数のカテゴリの中から１カテゴリを選択し、メッセージ入力のための入力エリアへ知人Ｂへのメッセージを入力し、この電子クーポンの公開レベル、すなわちこの電子クーポンを今回の知人リストの知人全員に発行するか特定の知人やグループに発行するかをチェックボタンで選択し、特定の知人やグループに発行することを選択した場合はその知人名などを入力エリアへ入力する。そして、例えば、知人が現在店舗の近くにいるときにこの電子クーポンを発行することを指定するためのボタンと、現在どこにいても発行することを指定するためのボタンのいずれかを押すことにより、携帯電話端末２１は、これらの入力および選択された情報を電子クーポン発行装置１へ送信する（Ｓ１９）。
【００５２】
なお、ここでは、携帯電話端末２１で店舗内やメニューなどを撮影し、この写真を添付してもよい。
【００５３】
さて、電子クーポン発行装置１の情報送受信部１１は、これらの入力および選択された情報を受信し中央処理部１７へ送信する（Ｓ１９）。中央処理部１７は、図４のＣ部分に示すように、題名、カテゴリを示す番号、メッセージを電子クーポン管理部１４に記憶させる（Ｓ２０）。また、場合によっては、図４のＢ部分を、指定された知人のユーザＩＤまたは指定されたグループに属する知人のユーザＩＤで更新する（Ｓ２０）。また、図４のＤ部分に示すように、知人が現在近くにいるときに電子クーポンを発行するか現在どこにいても発行するか（条件）を電子クーポン管理部１４に記憶させる（Ｓ２０）。Ｓ２１は、こうした情報記憶が成功したことを示す電子クーポン管理部１４からの応答である。
【００５４】
中央処理部１７は、知人が現在どこにいても電子クーポンを発行すると電子クーポン管理部１４に記憶させた場合、電子クーポン発行部１３に電子クーポンの発行を依頼する（Ｓ２２）。
【００５５】
電子クーポン発行部１３は、図４のＥ部分に示すように、現在時刻を発行時刻として電子クーポン管理部１４に記憶させる（Ｓ２３）とともに、電子クーポン管理部１４から、図４のＢ部分の知人リストを取得する（Ｓ２４）。
【００５６】
電子クーポン発行部１３は、取得した知人リストに基づき知人の電子メールアドレスを調べ、例えば、携帯電話端末２２に電子クーポンを送信する（Ｓ２５）。
【００５７】
携帯電話端末２２は、図８に示すように、その画面に電子クーポンを表示する。なお画面では、ユーザＡからのメッセージや店舗内などの写真が表示されるので、その店舗を利用しようとする気持ちに知人Ｂをさせることができ、実際に知人Ｂは、この電子クーポンを飲食店の従業員などに見せることにより割り引きを受けて食事することができる。また、有効期限が表示されるので、有効期限が過ぎた後にその店舗に訪れるといったことを回避することができる。
【００５８】
また、電子クーポン発行部１３は、電子クーポン送信後、送信が成功したことを中央処理部に通知する（Ｓ２６）。
【００５９】
中央処理部１７は、電子クーポンの送信が成功したことを、情報送受信部１１を介して携帯電話端末２１に表示させる（Ｓ２７）。
【００６０】
図９は、知人が現在近くにいる場合に電子クーポンを発行するときのシーケンス図である。
【００６１】
中央処理部１７は、知人が現在近くにいる場合に電子クーポンを発行すると電子クーポン管理部１４に記憶させた場合、知人リストをユーザ状況収集管理部１５に送付し、その知人リストにユーザＩＤがある知人の位置の監視を依頼する（Ｓ２８）。ユーザ状況収集管理部１５は、依頼を受けたことを中央処理部１７に中央処理部１７に応答する（Ｓ２９）。中央処理部１７は、情報送受信部１１を介して、知人の位置の監視を開始することを携帯電話端末２１に表示させる（Ｓ３０）。
【００６２】
Ｓ４０／Ｓ４１では、ユーザ状況収集管理部１５が、例えば知人リストにある知人Ｂの位置を携帯電話端末２２から取得し、店舗の位置から一定範囲内にいる知人の知人リストを作成し（Ｔ６）、これを中央処理部１７へ送信する（Ｓ５１）。なお、店舗の位置は、予め電子クーポン発行装置１に記憶させておいても良いし、また、屋台のように店舗が移動する場合は、知人Ｂの位置と同様に位置を逐次取得できるようにしても良い。
【００６３】
中央処理部１７は、電子クーポン発行部１３へこの知人リストを送信し（Ｓ５２）、電子クーポン発行部１３は、この知人リストに基づき、例えば、携帯電話端末２２に電子クーポンを送信し、図８で示したように表示させる（Ｓ５５）。また、電子クーポン発行部１３は、電子クーポン送信後、送信が成功したことを中央処理部に通知する（Ｓ５６）。  なお、知人が現在近くにいる場合には、店舗を訪れる可能性が高いことから、ユーザＡからのメッセージと相まって、知人Ｂをより一層、その店舗を利用しようとする気持ちにさせることができる。
【００６４】
中央処理部１７は、電子クーポンの送信が成功したことを、情報送受信部１１を介して携帯電話端末２１に表示させる（Ｓ５７）。
【００６５】
なお、電子クーポン発行装置１から電子クーポンを直接送信するのではなく、知人リストの知人数分の電子クーポンを、ライセンスキーとともに一旦携帯電話端末２１に送信し、携帯電話端末２１から携帯電話端末２２に直接電子メール等で電子クーポンを送信することも可能である。この場合、電子クーポン発行装置１に知人の電子メールアドレス等を登録する必要がないという利点が得られる。
【００６６】
また、知人Ｂが店舗の位置から一定範囲内にいない場合であっても、その後、ユーザ状況収集管理部１５が知人Ｂの位置を２から継続的に取得し、その位置により知人Ｂが当該範囲内にいる判定した場合に電子クーポンを発行するようにしてもよい。
【００６７】
また、図１０に示すように、ユーザＡが、電子クーポンを発行される知人の条件をより詳細に指定することも可能である。図１０は、「ランチの時間帯に彼氏、彼女と一緒にいること」を条件として指定している例を示している。
【００６８】
図１１は、電子メールによってではなく、知人の検索要求に応じて電子クーポンを開示することで電子クーポンを発行するときのシーケンス図である。  
知人Ｂが携帯電話端末２２に所定の操作を行うと、携帯電話端末２２は電子クーポンの検索要求を電子クーポン発行装置１へ送信する（Ｓ６１）。
【００６９】
電子クーポン発行装置１の情報送受信部１１は、検索要求を受信し、これを中央処理部１７へ与える（Ｓ６１）。
【００７０】
中央処理部１７は、情報送受信部１１を介してユーザＩＤ／パスワードを携帯電話端末２２へ要求し（Ｓ６２）、携帯電話端末２１はユーザＩＤ／パスワードを電子クーポン発行装置１に送信する（Ｓ６３）。
【００７１】
中央処理部１７は、ユーザプロファイル記憶部１２を参照して（Ｓ６４／Ｓ６５）、知人認証を行う（Ｔ７）。
【００７２】
知人認証に成功すると、中央処理部１７は情報送受信部１１を介して、携帯電話端末２１に、例えば、図１２に示す、電子クーポンの検索画面を表示させる（Ｓ６６）。
【００７３】
知人Ｂは、例えば、プルダウンメニューで用意された複数のカテゴリの中から１カテゴリを選択すると、携帯電話端末２１はそのカテゴリを電子クーポン発行装置１に通知する（Ｓ６７）。
【００７４】
電子クーポン発行装置１の情報送受信部１１は、通知されたカテゴリを中央処理部１７へ通知する（Ｓ６７）。
【００７５】
中央処理部１７は、知人ＢのユーザＩＤをユーザ状況収集管理部１５に通知し、その知人Ｂの位置取得を依頼する（Ｓ６８）。
【００７６】
Ｓ６９／Ｓ７０では、ユーザ状況収集管理部１５が、知人Ｂの位置を携帯電話端末２２から取得し、知人Ｂに対して電子クーポンが発行されている店舗が知人Ｂの位置から一定範囲内にあるか否かを判定する（Ｔ８）。ここで、一定範囲内にある場合は、ユーザＡが登録した電子クーポンの題名を中央処理部１７へ通知する（Ｓ７１）。
【００７７】
中央処理部１７は、情報送受信部１１を介して、図１３に示すように電子クーポンの題名のリストを検索結果として表示させる（Ｓ７３）。
【００７８】
そして、知人Ｂが、１つの題名を選択すると、携帯電話端末２２は、選択された題名を電子クーポン発行装置１へ通知する（Ｓ７４）。
【００７９】
電子クーポン発行装置１の情報送受信部１１は、通知された題名を中央処理部１７へ通知する（Ｓ７４）。
【００８０】
中央処理部１７は、通知された題名の電子クーポンを情報送受信部１１を介して携帯電話端末２２に送信し、図８で示したように表示させる（Ｓ７５）。
【００８１】
なお、電子クーポン発行装置１では、携帯電話端末２２への電子メールにより、あるいは携帯電話端末２２からの検索要求に基づく開示によって発行された電子クーポンが携帯電話端末２２に届いたか否かやその電子クーポンの利用状況（利用の有無など）を、携帯電話端末２２などから取得し、これを携帯電話端末２１へ通知することも可能である。
【００８２】
また、電子クーポン発行装置１には、知人Ｂよる電子クーポンの利用対象（店など）への評価を記憶する評価管理部１６を設けたので、この記憶された評価を携帯電話端末２１への表示でユーザＡに、また一般の携帯電話端末などへの表示により一般のユーザに公開することも可能である。
【００８３】
また、上記実施の形態では、携帯電話端末２１や携帯電話端末２２の位置はこれら端末から直接取得したが、ユーザＡや知人Ｂの利用する端末が、ＰＤＡ（Personal Digital Assistant）といわれる端末であったり、いわゆるノートパソコンといわれる端末であって、これらが自身の位置を通知できない場合には、これらの端末と一緒に携行される位置発信デバイスからユーザＡや知人Ｂの位置を取得してもよい。
【００８４】
また、上記実施の形態では、知人Ｂと店舗とが一定範囲内に存在する場合に電子クーポンを発行するように説明したが、ユーザＡと知人Ｂとが一定範囲内に存在する場合に電子クーポンを発行するようにしてもよい。
【００８５】
また、上記実施の形態は、あくまで一例であり、動作に支障のない限りは、適宜処理や情報を省略したり組み合わせたりすることができる。また、電子クーポン発行装置１を構成する各部は２以上のサーバに分散配備することができる。
【００８６】
なお、上記説明した処理を電子クーポン発行装置１に実行させるコンピュータプログラムは、半導体メモリ、磁気ディスク、光ディスク、光磁気ディスク、磁気テープなどのコンピュータ読み取り可能な記録媒体に格納したり、インターネットなどの通信網を介して伝送させて、広く流通させることができる。
【図面の簡単な説明】
【００８７】
【図１】本発明を用いた電子クーポン発行サービスのシステム構成図である。
【図２】携帯電話端末２１へ電子クーポンを発行するときのシーケンス図である。
【図３】ユーザ状況収集管理部１５におけるユーザの状況の管理例を示す図である。
【図４】電子クーポン管理部１４における電子クーポンの管理例を示す図である。
【図５】携帯電話端末２１における電子クーポンの表示例を示す図である。
【図６】知人が現在どこにいても電子クーポンを発行するときのシーケンス図である。
【図７】携帯電話端末２１で電子クーポンの題名や知人へのメッセージを入力するときの表示例を示す図である。
【図８】携帯電話端末２２における電子クーポンの表示例を示す図である。
【図９】知人が現在近くにいる場合に電子クーポンを発行するときのシーケンス図である。
【図１０】電子クーポンの配布される知人の条件をより詳細に指定する場合の説明図である。
【図１１】知人の検索要求に応じて電子クーポンを開示することで電子クーポンを発行するときのシーケンス図である。
【図１２】携帯電話端末２２における電子クーポンの検索画面の表示例を示す図である。
【図１３】携帯電話端末２２における電子クーポンの検索結果の表示例を示す図である。
【符号の説明】
【００８８】
１…電子クーポン発行装置
３…気象サーバ
１１…情報送受信部
１２…ユーザプロファイル記憶部
１３…電子クーポン発行部
１４…電子クーポン管理部
１５…ユーザ状況収集管理部
１６…評価管理部
１７…中央処理部
２１，２２…携帯電話端末
【図１】
2005326949.tif 000003
【図２】
2005326949.tif 000004
【図３】
2005326949.tif 000005
【図４】
2005326949.tif 000006
【図５】
2005326949.tif 000007
【図６】
2005326949.tif 000008
【図７】
2005326949.tif 000009
【図８】
2005326949.tif 000010
【図９】
2005326949.tif 000011
【図１０】
2005326949.tif 000012
【図１１】
2005326949.tif 000013
【図１２】
2005326949.tif 000014
【図１３】
2005326949.tif 000015